(57)【要約】【課題】  建物内の所定の検知空間内における人の有無を検知して、人が居ると判断された場合は、建物の内装面の一部から検知した人に対して目的に応じた音を自動的に発生させる。【解決手段】  内装面１の一部を構成する内装板として励振手段２により内装板を振動させて音を発生させるようにした音出力用内装板３を設ける。建物内の所定の検知空間４内における人の有無の検知をするための人体検知センサ５を設ける。所定の検知空間４内に人が居ることを検知すると人体検知センサ５に対応した音出力用内装板３を励振手段２により振動させて音を発生させる。【選択図】図１
2008271428.tif 000002
【特許請求の範囲】
【請求項１】
建物の内装面の一部を構成する内装板として励振手段により内装板を振動させて音を発生させるようにした音出力用内装板を設け、建物内の所定の検知空間内における人の有無の検知をするための人体検知センサを設け、所定の検知空間内に人が居ることを検知すると人体検知センサに対応した音出力用内装板を励振手段により振動させて音を発生させるようにして成ることを特徴とする音発生機能を備えた内装構造。
【請求項２】
建物の内装面の一部を構成する内装板として励振手段により内装板を振動させて音を発生させるようにした音出力用内装板を設け、建物内の所定の検知空間内における人の有無の検知をするための人体検知センサを設けると共に検知した人の進行方向を判定する進行方向判定手段を設け、人体検知センサが対応する検知空間に人が居ることを検知し且つ進行方向判定手段により人の進行方向が判定された際に、人体検知センサに対応した音出力用内装板を励振手段により振動させて音を発生させるようにして成ることを特徴とする音発生機能を備えた内装構造。
【請求項３】
建物内の通路を該通路に沿って複数の検知空間に区分けし、各通路の内装面の各検知空間に対応する部位にそれぞれ音出力用内装板を設け、各検知空間ごとに人の有無を検知するための人体検知センサを設けると共に検知した人の進行方向を判定する進行方向判定手段を設け、人体検知センサが対応する検知空間に人が居ることを検知し且つ進行方向判定手段により人の進行方向が判定された際に、該人を検知した人体検知センサが対応する検知空間よりも人の進行方向にずれた他の検知空間の内装面の一部を構成する音出力用内装板を励振手段により振動させて音を発生させるようにして成ることを特徴とする請求項２記載の音発生機能を備えた内装構造。
【発明の詳細な説明】
【技術分野】
【０００１】
本発明は、音発生機能を備えた内装構造に関するものである。
【背景技術】
【０００２】
従来から、天井に設ける点検蓋として、点検蓋の面板の裏面に振動用アクチュエータを設けて振動用アクチュエータで点検蓋の面板を振動させることで室内に音を発生させるようにしたものが特許文献１により知られている。
【０００３】
この従来例にあっては点検蓋をスピーカーの振動板として利用したものであるが、点検蓋であるため、他の普通の天井板と区分けして認識され、点検蓋がスピーカーの振動板として外観され、普通の天井板が音を出しているようには感じられない。
【０００４】
また、従来にあって点検蓋を振動させて音を発生させるに当っては、操作器を設け、人が操作器を操作することで、音を発生させるようにしているものでしかない。したがって、点検蓋から音を発生させるには操作スイッチを人が操作する必要である。
【特許文献１】特開２００６−３３２８６１号公報
【発明の開示】
【発明が解決しようとする課題】
【０００５】
本発明は上記の従来の問題点に鑑みて発明したものであって、建物内の所定の検知空間内における人の有無を検知して、人が居ると判断された場合は、建物の内装面の一部から検知した人に対して目的に応じた音を自動的に発生させることができる音発生機能を備えた内装構造を提供することを課題とするものである。
【課題を解決するための手段】
【０００６】
上記課題を解決するために本発明に係る音発生機能を備えた内装構造は、建物の内装面１の一部を構成する内装板として励振手段２により内装板を振動させて音を発生させるようにした音出力用内装板３を設け、建物内の所定の検知空間４内における人の有無の検知をするための人体検知センサ５を設け、所定の検知空間４内に人が居ることを検知すると人体検知センサ５に対応した音出力用内装板３を励振手段２により振動させて音を発生させるようにして成ることを特徴とするものである。
【０００７】
このような構成とすることで、建物内の所定の検知空間４内に人が居ることを人体検知センサ５で検知すると、建物内の所定の検知空間４の内装面１の一部を構成する内装板である音出力用内装板３が励振手段２により振動して検知空間４に向けて音を自動的に発生させる。これにより、例えば、検知空間４内に居る人に対して案内などの音による情報を検知空間４の内装面１の一部から自動的に発生させることができ、この場合、検知空間４の内装面１の一部が直接振動することで音を自動的に発生するので、専用のスピーカー装置が別途必要ではなく、また、検知空間４内または内装面１にスピーカー装置が露出して取付けられるもののように、スピーカー装置により検知空間４内または内装面１が見苦しくなるというようなこともなく、すっきりとした外観となる。
【０００８】
また、建物の内装面１の一部を構成する内装板として励振手段２により内装板を振動させて音を発生させるようにした音出力用内装板３を設け、建物内の所定の検知空間４内における人の有無の検知をするための人体検知センサ５を設けると共に検知した人の進行方向を判定する進行方向判定手段６を設け、人体検知センサ５が対応する検知空間４に人が居ることを検知し且つ進行方向判定手段６により人の進行方向が判定された際に、人体検知センサ５に対応した音出力用内装板３を励振手段２により振動させて音を発生させるようにして成ることを特徴とするものであってもよい。
【０００９】
このような構成とすることで、建物内の所定の検知空間４内に人が居ることを人体検知センサ５で検知すると共に進行方向判定手段６により上記検知された人の進行方向が判定されると、内装面１の一部を構成する内装板である音出力用内装板３が励振手段２により振動して検知空間４に向けて音を自動的に発生させる。これにより、例えば、検知空間４内に居る人の進行方向に対応した案内などの音による情報を検知空間４の内装面１の一部から自動的に発生させ、検知した人を音声や音楽や音により進行方向に誘導したり、あるいは、「いらっしゃませ」、「ありがとうございました」といった対象空間からの人の進行方向に応じた挨拶などを自動的に発生させることができる。しかも、この場合、内装面１の一部が直接振動することで音を自動的に発生するので、専用のスピーカー装置が別途必要ではなく、また、検知空間４内または内装面１にスピーカー装置が露出して取付けられるもののように、スピーカー装置により検知空間４内または内装面１が見苦しくなるというようなこともなく、すっきりとした外観となる。
【００１０】
また、建物内の通路７を該通路７に沿って複数の検知空間４に区分けし、各通路７の内装面１の各検知空間４に対応する部位にそれぞれ音出力用内装板３を設け、各検知空間４ごとに人の有無を検知するための人体検知センサ５を設けると共に検知した人の進行方向を判定する進行方向判定手段６を設け、人体検知センサ５が対応する検知空間４に人が居ることを検知し且つ進行方向判定手段６により人の進行方向が判定された際に、該人を検知した人体検知センサ５が対応する検知空間４よりも人の進行方向にずれた他の検知空間４の内装面の一部を構成する音出力用内装板３を励振手段２により振動させて音を発生させるようにすることも好ましい。
【００１１】
このような構成とすることで、通路７に沿って区分けした複数の検知空間４を通過して人が進んでいくのを、各検知空間４に設けた人体検知センサ５で検知すると共に進行方向判定手段６により進行方向を判定すると、該人を検知した人体検知センサ５が対応する検知空間４よりも人の進行方向にずれた他の検知空間４の内装面の一部を構成する音出力用内装板３を励振手段２により振動させて音を自動的に発生させる。これにより、通路７内を進行する人の進行方向の少し前方位置において内装面１から音声や音楽や音を自動的に発生させて誘導を行って目的の場所に道案内をすることができる。しかも、この場合、内装面１の一部が直接振動することで音を自動的に発生するので、専用のスピーカー装置が別途必要ではなく、また、検知空間４内または内装面１にスピーカー装置が露出して取付けられるもののように、スピーカー装置により検知空間４内または内装面１が見苦しくなるというようなこともなく、すっきりとした外観となり、内装面１により効果的に音による道案内ができる。
【発明の効果】
【００１２】
本発明は、上記のように構成したので、建物内の所定の検知空間内における人の有無を検知して、人が居ると判断された場合は、建物の内装面の一部から検知した人に対して目的に応じた案内や挨拶や誘導のための音を自動的に発生させることができ、しかも、建物の内装面の一部を直接振動させて音を自動的に発生させるので、専用のスピーカー装置が別途必要ではなく、また、検知空間内または内装面にスピーカー装置が露出して取付けられるもののように、スピーカー装置により検知空間内または内装面が見苦しくなるというようなこともなく、すっきりとした外観となるという効果がある。
【発明を実施するための最良の形態】
【００１３】
以下、本発明を添付図面に示す実施形態に基いて説明する。
【００１４】
天井面、壁面、床面等の建物の内装面１は天井板、壁板、床板等の複数の内装板を天井下地構造材、壁下地構造材、床下地構造材等の下地構造材に取付けることで構成してある。
【００１５】
このように天井面、壁面、床面等の建物の内装面１は複数の内装板を並設することで構成されるが、内装面１を構成するための複数の内装板として本発明においては、図７のように、音を発生させない普通内装板２５と、励振手段２により直接振動させられて音を発生させる音出力用内装板３とが使用してあり、内装面１の大部分は普通内装板２５で構成してあり、内装面１の一部を構成する内装板として音出力用内装板３を設けてある。
【００１６】
音出力用内装板３は励振手段２により直接振動させられて音を発生するようになっている。一例を挙げれば、図７に示すように、音出力用内装板３の裏面に励振手段２であるエキサイタのような励振器を設け、音声出力信号に基づいて励振器により振動板としての音出力用内装板３を直接振動させて音声、音楽、音を音出力用内装板３の表面側、つまり、室内に向けて発生するようになっている。この音出力用内装板３は背面に枠体２６を設け、この枠体２６を下地構造材２７の表面側に固着した固定用枠体２８にインシュレータ２９を介して固着具により取付けてある。
【００１７】
図１には内装面１として天井面の例を示しており、内装面１としての天井面の一部を構成する内装板（天井板）として音出力用内装板３（音声出力用天井板）を設けてある。
【００１８】
また、建物内の所定の検知空間４内における人の有無の検知をするための人体検知センサ５が設けてあり、該人体検知センサ５は天井面、壁面、床面等の建物の内装面１又は室内の任意の箇所に設けられる。
【００１９】
上記人の有無を検知する検知空間４と、音出力用内装板３を設けた空間とは同じ空間であってもよく、異なる空間（例えば、同じ室内、あるいは通路内、あるいは、玄関ホール内等を複数の空間に区分けしたうちの別々の区分け空間であってもよい）。
【００２０】
図２には本実施形態の制御ブロック図が示してあり、人体検知センサ５により建物内の所定の検知空間４に人が居ることを検知すると、検知信号が制御部８に入力され、制御部８により音声信号生成装置１０で生成された音声信号に基づいて励振手段２で上記人体検知センサ５に対応した音出力用内装板３を振動させて音声、音楽、音を自動的に発生させるように制御される。例えば、所定の室内に人が居ることを検知すると、内装面１である天井面の一部から目的に応じた案内のための音声や、音楽、あるいは川のせせらぎの音や風の音などの音を自動的に発生させるようになっている。一方、人体検知センサ５によって所定の検知空間４に人を検知しない場合は、制御部８による上記制御が停止され、音出力用内装板３は音の発生を停止する。
【００２１】
上記、内装面１の一部の音出力用内装板３で構成された部分は、他の普通内装板２５で構成された部分と外観上変わらないようにするのが好ましい。つまり、音出力用内装板３と普通内装板２５とが同じ材料であったり、あるいは、異なる材料であっても音出力用内装板３の表面と普通内装板２５の表面とが同じ外観となるように同一模様となっていたり、あるいは、音出力用内装板３の表面と普通内装板２５表面にわたるようにクロスなど化粧シートを連続して貼り付けたりすることで、内装面１が連続した一連のものとして外観されるようにするのがよい。これにより、内装面１の一部の音の発生する部分のが室内から判らないようにでき、検知空間４内または内装面１に別途スピーカー装置を露出して取付けられるもののように、スピーカー装置により検知空間４内または内装面１が見苦しくなるというようなこともなく、すっきりとした外観となる。
【００２２】
図３、図４には本発明の他の実施形態が示してある。本実施形態においても、建物の内装面１の一部を構成する内装板として励振手段２により内装板を振動させて音を自動的に発生させるようにした音出力用内装板３を設けてある。また、本実施形態においては、建物内の所定の検知空間４内における人の有無の検知をするための人体検知センサ５を設けてあり、更に、検知した人の進行方向を判定する進行方向判定手段６を設けてある。
【００２３】
進行方向判定手段６は制御部８に設けてあり、例えば検知空間４に複数の人体検知センサ５を設け、該複数の人体検知センサ５による検知信号を制御部８に入力し、検知空間４における複数の人体検知センサ５における人の検知のタイミングのずれに基づいて制御部８に設けた進行方向判定手段６により検知空間４内における人の進行方向を判定するようにしている。
【００２４】
そして、本実施形態においては、人体検知センサ５で検知空間４に人が居ることを検知して制御部８に検知信号を入力し、制御部８に設けた進行方向判定手段６で複数の人体検知センサ５による検知のタイミングのずれに基づいて検知した人の進行方向を判定する。このように人体検知センサ５が対応する検知空間４に人が居ることを検知し且つ進行方向判定手段６により人の進行方向が判定された際に、音声信号生成装置１０で生成された音声信号に基づいて励振手段２で上記人体検知センサ５に対応した音出力用内装板３を振動させて音声、音楽、音を自動的に発生させるように制御部８により制御される。例えば、所定の検知空間４に人が居ることを検知し且つ検知した人の進行方向を判定すると、天井面や壁面や床面等の内装面１の一部から人の進行方向に対応した音、（対象空間が店舗などの場合、進行方向が店舗空間内への入室方向の場合は、「いらっしゃいませ。」という音声を発生させ、進行方向が店舗空間内からの退室方向の場合は、「ありがとうございました。また、おこし下さい。」という音声を発生させるというように進行方向に応じて異なる音声を発生させるように制御される。
【００２５】
一方、人体検知センサ５によって所定の検知空間４に人を検知しない場合はもちろん、進行方向判定手段６により人の進行方向が判定により進行方向が判定されない場合は、制御部８による上記制御が停止され、音出力用内装板３は音の発生を停止する。
【００２６】
本実施形態において、他の構成は前述の実施形態と同様であり、前述の実施形態の構成と重複する説明及び作用効果については説明を省略する。
【００２７】
次に、図５、図６に基づいて本発明の更に他の実施形態につき説明する。
【００２８】
本実施形態においては、図５に示すように、建物内の通路７を該通路７に沿って複数の検知空間４（４ａ、４ｂ、４ｃ、４ｄ、４ｅ………）に区分けし、各通路７の内装面１（実施形態においては天井面）の各検知空間４に対応する部位にそれぞれ音出力用内装板３（３ａ、３ｂ、３ｃ、３ｄ、３ｅ………）を設けてある。また、上記各検知空間４ごとに人の有無を検知するための人体検知センサ５を設けてあり、更に、検知した人の進行方向を判定する進行方向判定手段６を設けてある。
【００２９】
各検知空間４に人体検知センサ５を設ける場合、例えば、通路７に沿って複数の人体検知センサ５を設け、該当する検知空間４内における複数の人体検知センサ５による人体検知のタイミングのずれに基づいて制御部８に設けた進行方向判定手段６により進行方向を判定するようにしてもよく、あるいは、各検知空間４に１つずつ人体検知センサ５を設け、ある検知空間４に設けた人体検知センサ５で人を検知し、その後、隣の検知空間４に設けた人体検知センサ５で人の検知をすると、両検知センサ５による人体検知のタイミングのずれに基づいて制御部８に設けた進行方向判定手段６により進行方向を判定するようにしてもよい。
【００３０】
そして、本実施形態においては、人体検知センサ５が対応する検知空間４に人が居ることを検知し且つ進行方向判定手段６により人の進行方向が判定された際に、該人を検知した人体検知センサ５が対応する検知空間４よりも人の進行方向にずれた他の検知空間４の内装面１の一部を構成する音出力用内装板３を励振手段２により振動させて音を自動的に発生させる。これにより、進行方向の少し前方の内装面１の一部から音声、音楽、音を発生させて誘導し、目的の場所に道案内をすることができる。
【００３１】
本実施形態において、他の構成は前述の実施形態と同様であり、前述の実施形態の構成と重複する説明及び作用効果については説明を省略する。
【図面の簡単な説明】
【００３２】
【図１】本発明の一実施形態の概略構成図である。
【図２】同上の音出力用内装板により音を発生させるための制御ブロック図である。
【図３】本発明の他の実施形態の概略構成図である。
【図４】同上の音出力用内装板により音を発生させるための制御ブロック図である。
【図５】本発明の更に他の実施形態の概略構成図である。
【図６】同上の音出力用内装板により音を発生させるための制御ブロック図である。
【図７】音出力用内装板の施工例を示す一実施形態を示す断面図である。
【符号の説明】
【００３３】
１  内装面
２  励振手段
３  音出力用内装板
４  検知空間
５  人体検知センサ
６  進行方向判定手段
７  通路
【図１】
2008271428.tif 000003
【図２】
2008271428.tif 000004
【図３】
2008271428.tif 000005
【図４】
2008271428.tif 000006
【図５】
2008271428.tif 000007
【図６】
2008271428.tif 000008
【図７】
2008271428.tif 000009